(57)【要約】【課題】この発明は、大幅な改造をすることなく、かつ大型化することなく暖房が可能となるエレベータ用空気調和機を得る。【解決手段】このエレベータ用空気調和機は、蒸発器であるかご室内側熱交換器５およびかご室内側熱交換器５に対向したかご室内側送風機１を有し、かご室内側熱交換器５により熱交換され冷却された空気がかご室内に戻されるようになっている冷房装置と、この冷房装置の停止時に作動させかご室内の空気を加熱する電気ヒータ６とを備えている。【選択図】        図２
2004292114.tif 000002
【特許請求の範囲】
【請求項１】
エレベータのかごに設置され、かご室内の空気を吸引し、その空気の温度を調節してかご室内に吹き出すエレベータ用空気調和器であって、蒸発器であるかご室内側熱交換器およびかご室内側熱交換器に対向したかご室内側送風機を有し、前記かご室内側熱交換器により熱交換され冷却された前記空気が前記かご室内に戻されるようになっている冷房装置と、
前記冷房装置の停止時に作動させ前記かご室内の前記空気を加熱する加熱手段とを備えたエレベータ用空気調和機。
【請求項２】
前記加熱手段は、前記かご室内側送風機の吹出口側に設けられている請求項１に記載のエレベータ用空気調和機。
【請求項３】
前記加熱手段は、前記かご室内側送風機の内部に設けられている請求項１に記載のエレベータ用空気調和機。
【請求項４】
前記加熱手段は、前記かご室内側送風機の吸込口側に設けられている請求項１に記載のエレベータ用空気調和機。
【請求項５】
前記加熱手段は、前記かご室内から吸引した空気をかご室内に吹き出す吹出ダクトの入口側に設けられている請求項１に記載のエレベータ用空気調和機。
【請求項６】
前記加熱手段は、電気ヒータである請求項１ないし請求項５の何れかに記載のエレベータ空気調和機。
【請求項７】
前記電気ヒータは、フィルム状の電気ヒータであり、前記かご室内側送風機は、ケーシング内にシロッコファンを有しており、前記かご室内側送風機のケーシング内に前記電気ヒータが付着している請求項６に記載のエレベータ用空気調和機。
【請求項８】
前記かご室内側送風機は、ケーシング内にシロッコファンを有しており、前記電気ヒータは、前記シロッコファンの吸入口側に環状に設けられている請求項６に記載のエレベータ用空気調和機。
【発明の詳細な説明】
【０００１】
【発明の属する技術分野】
この発明は、エレベータのかごに設置され、かご室内の空気を吸引し、その空気温度を調節してその空気をかご室内に吹き出すエレベータ用空気調和機に関するものである。
【０００２】
【従来の技術】
従来のエレベータ用空気調和機である冷房装置は、エレベータのかごに設置されており、圧縮機、かご室外側熱交換器、絞り装置、およびかご室内側熱交換器が冷媒配管により順次接続されている。
この冷房装置では、圧縮機から吐出された高温高圧のガス冷媒は、かごかご室外側熱交換器で外気と熱交換して液冷媒となり、絞り装置で減圧された後、かご室外側熱交換器と仕切板により隔離されたかごかご室内側熱交換器に至り、ここで吸込ダクトを通ってケーシング内に吸い込まれたかご内の空気と熱交換して気化する。
したがって、かご室内の空気は、かご室内側熱交換器を通過するときに冷却され、この冷却された空気は、吹出ダクトを通じてかご室内に戻される。また、かご室内側熱交換器で冷却される際、空気中の水蒸気が凝縮して発生した低温のドレンは、ドレン処理機構に送られる。このドレン水処理機構では、冷房運転中にかご室内熱交換器で発生したドレン水を、かご室外熱交換器を利用してかごの外に蒸散している（例えば、特許文献１参照）。
【０００３】
【特許文献１】
特開平８−２７１０１９号公報
【０００４】
【発明が解決しようとする課題】
ところで、冷暖房兼用のエレベータ空気調和機を実現するために、前述の従来のエレベータ用空気調和機の冷媒回路をヒートポンプ化しようとする場合、暖房運転時に室外熱交換器で発生するドレン水の処理を行うドレン水処理機構が別途設けなければならず、このことはエレベータ用空気調和機の大型化の要因となり、より小型のエレベータ用空気調和機を望む市場の需要に応えられないという問題点があった。
【０００５】
この発明は、上記のような問題点を解決することを課題とするものであって、冷房のみを考慮した冷媒回路を有するエレベータ用空気調和機であっても、大幅な改造をすることなく、かつ大型化することなく暖房が可能となるエレベータ用空気調和機を得ることを目的とするものである。
【０００６】
【課題を解決するための手段】
この発明に係るエレベータ用空気調和機は、蒸発器であるかご室内側熱交換器およびかご室内側熱交換器に対向したかご室内側送風機を有し、前記かご室内側熱交換器により熱交換され冷却された空気がかご室内に戻されるようになっている冷房装置と、この冷房装置の停止時に作動させ前記かご室内の前記空気を加熱する加熱手段とを備えている。
【０００７】
【発明の実施の形態】
実施の形態１．
図１はこのエレベータ用空気調和機が組み込まれたエレベータの概略構成図、図２は図１のエレベータ用空気調和機内の要部構成図、図３は図２のかご室内側送風機の側断面図である。
このエレベータ用空気調和機１２は、昇降路２２５内を昇降するかご１１の天面に設置されている。このエレベータ用空気調和機１２は、ケースと、このケース内に収納された圧縮機と、蒸発器であるかご室内側熱交換器５と、絞り装置と、凝縮器でありかご室内側熱交換器５と仕切板により隔離されたかご室外側熱交換器と、かご室内側熱交換器５に対向したかご室内側送風機１と、かご室外側熱交換器に対向したかご室外側送風機と、前記圧縮機、前記かご室外側熱交換器、前記絞り装置、および前記かご室内側熱交換器を順次接続した冷媒配管とを有している。
かご室内側送風機１は、ケーシング２内に設けられたシロッコファン３と、そのシロッコファン３を駆動する電動機４とを備えている。かご室内側送風機１の吹出口側には、暖房運転時に駆動する加熱手段である電気ヒータ６が設けられている。電気ヒータ６は、セラミック製の発熱体の両面に金属製のフィンを有するものである。
【０００８】
このエレベータ用空気調和機では、かご室内を冷房するときには、圧縮機から吐出された高温高圧のガス冷媒は、かご室外側熱交換器でかご室外の空気と熱交換して液冷媒となり、絞り装置で減圧された後かご室内側熱交換器５に至り、ここで吸込ダクト１３を通ってケース内に吸い込まれたかご室内の空気と熱交換して気化する。したがって、かご室内の空気は、かご室内側熱交換器５を通過するときに冷却され、この冷却された空気は、吹出ダクト１４を通じてかご室内に戻される。また、かご室内側熱交換器５で冷却される際、空気中の水蒸気が凝縮して発生した低温のドレンは、ドレン処理機構に送られる。このドレン水処理機構では、冷房運転中にかご室内側熱交換器で発生したドレン水を、かご室外側熱交換器を利用してかご室の外に蒸散している。
【０００９】
これに対して、冷媒回路の停止によりかご室内側熱交換器５によるかご室内の空気の冷却を止め、電気ヒータ６を通電することで、冷房専用の冷媒回路を有するエレベータ用空気調和機であっても暖房が実現できる。
即ち、吸込ダクト１３を通ってエレベータ用空気調和機１２のケース内に吸い込まれたかご室内の空気は、かご室内側熱交換器５、かご室内側送風機１を通って電気ヒータ６を通過するときに加熱され、この加熱された空気は、吹出ダクト１４を通じてかご室内に戻される。
【００１０】
なお、図２および図３ではかご室内側送風機１および電気ヒータ６は互いに独立した部材であったが、図４に示すように、電気ヒータ６をかご室内側送風機１のケーシング２の内部に設けても同様の効果を得ることができる。
【００１１】
実施の形態２．
図５はこの発明の実施の形態２のエレベータ用空気調和機の要部断面図であり、このエレベータ用空気調和機では、かご室内側送風機１のケーシング２の内壁に薄板状もしくはフィルム状の電気ヒータ７が接着されている。
【００１２】
このエレベータ用空気調和機によれば、シロッコファン３を通過したかご室内側空気の一部はケーシング２の内壁の電気ヒータ７に触れることで加熱されるので、実施の形態１と同様に暖房が実現できる。
また、電気ヒータ７は、薄板状もしくはフィルム状であるために場所を取らず、既に設置済のエレベータ用空気調和機であっても最小限の改造で暖房機能を付加することができる。
【００１３】
実施の形態３．
図６はこの発明の実施の形態３のエレベータ用空気調和機の要部断面図であり、このエレベータ用空気調和機では、かご室内側送風機１の吸入口８とシロッコファン３との間に環状の加熱手段である電気ヒータ９が設けられている。
このエレベータ用空気調和機によれば、吸入口８から吸込んだ空気は電気ヒータ９を通過する際に電気ヒータ９により加熱され、実施の形態１と同様に暖房が実現できる。
また、電気ヒータ９はかご室内側送風機１の内部に設置するために場所を取らず、既に設置済のエレベータ用空気調和機であっても最小限の改造で暖房機能を付加することができる。
【００１４】
実施の形態４．
図７はこの発明の実施の形態４のエレベータ用空気調和機の要部構成図であり、このエレベータ用空気調和機では、かご室内側熱交換器５とかご室内側送風機１との間に加熱手段である電気ヒータ１０が設けられている。
このエレベータ用空気調和機によれば、冷媒回路の停止によりかご室内熱交換器５による室内空気の冷却を止め、電気ヒータ１０を通電することで、吸込ダクト１３から吸い込まれた空気は、かご室内側熱交換器５を通過した後、電気ヒータ１０を通ってかご室内側送風機１に吸い込まれるが、電気ヒータ１０に接触することで加熱され、冷房専用の冷媒回路を有するエレベータ用空気調和機であっても暖房が実現できる。
【００１５】
なお、図７のものでは、かご室内側送風機１および電気ヒータ１０は互いに独立した部材であったが、図８に示すように、電気ヒータ１０をかご室内側送風機１の吸込口に直接設けても同様の効果が得られる。また、電気ヒータをかご室内側熱交換器に直接取り付けるようにしてもよい。
【００１６】
実施の形態５．
図９はこの発明の実施の形態５のエレベータ用空気調和機の要部構成図であり、このエレベータ用空気調和機では、かご室内から吸込ダクト１３を通じて吸引した空気をかご室内に吹き出す吹出ダクト１４の入口側に電気ヒータ１５が設けられている。
このエレベータ用空気調和機によれば、既にエレベータに設置済の冷房専用のエレベータ用空気調和機でも、吹き出しダクト１４の入口側に電気ヒータ１５を設置という最小限の工事で暖房運転が可能となる。
【００１７】
なお、上記各実施の形態では、加熱手段として、電気ヒータを用いた場合について説明したが、勿論このものに限定されない。
また、かご室内側送風機として、シロッコファンを有する送風機について説明したが、勿論このものに限定されず、例えばプロペラファンを有する送風機であってもよい。
また、電気ヒータを吹出ダクトの出口側に設けてもよいし、吸込ダクトの入口側、または出口側に設けるようにしてもよい。
【００１８】
【発明の効果】
以上説明したように、この発明のエレベータ用空気調和機によれば、蒸発器であるかご室内側熱交換器およびかご室内側熱交換器に対向したかご室内側送風機を有し、前記かご室内側熱交換器により熱交換され冷却された空気がかご室内に戻されるようになっている冷房装置と、この冷房装置の停止時に作動させ前記かご室内の前記空気を加熱する加熱手段とを備えているので、冷房のみを考慮した冷媒回路を有するエレベータ用空気調和機であっても、大幅な改造をすることなく、かつ大型化することなく暖房が可能となる。
【図面の簡単な説明】
【図１】エレベータ用空気調和機が組み込まれたエレベータの概略構成図である。
【図２】この発明の実施の形態１のエレベータ用空気調和機の要部構成図である。
【図３】図２のかご室内側送風機の断面図である。
【図４】図２のかご室内側送風機の別の形態を示す断面図である。
【図５】この発明の実施の形態２のエレベータ用空気調和機のかご室内側送風機の断面図である。
【図６】この発明の実施の形態３のエレベータ用空気調和機のかご室内側送風機の断面図である。
【図７】この発明の実施の形態４のエレベータ用空気調和機の要部構成図である。
【図８】図７のエレベータ用空気調和機の別の形態を示す断面図である。
【図９】この発明の実施の形態５のエレベータ用空気調和機の設置状況を示す図である。
【符号の説明】
１  かご室内側送風機、２  ケーシング、３  シロッコファン、５  かご室内側熱交換器、６，７，９，１０，１５  電気ヒータ（加熱手段）、８  吸込口、１１  かご、１２  エレベータ用空気調和機、１３  吸込ダクト、１４  吹出ダクト。
【図１】
2004292114.tif 000003
【図２】
2004292114.tif 000004
【図３】
2004292114.tif 000005
【図４】
2004292114.tif 000006
【図５】
2004292114.tif 000007
【図６】
2004292114.tif 000008
【図７】
2004292114.tif 000009
【図８】
2004292114.tif 000010
【図９】
2004292114.tif 000011